(57)【特許請求の範囲】
【請求項１】
音声信号と共に当該音声信号のトラック番号を含むサブコード信号を有するデジタルオーディオ信号を記録した複数の記録媒体を再生装置により順次再生することにより得られた当該デジタルオーディオ信号を入力して記録する記録装置であって、
前記デジタルオーディオ信号を入力する入力手段と、前記入力手段に入力されたデジタルオーディオ信号のサブコードに含まれるトラック番号を検出するトラック番号検出手段と、前記入力手段に入力されたデジタルオーディオ信号のレベルを検出するレベル検出手段と、入力された音声信号を記録する記録手段と、前記入力手段と記録手段との間に設けられた信号処理手段と、前記複数の記録媒体に記録された音声信号のうち記録したい特定のトラック番号を記憶しておく特定トラック番号メモリと、録音条件を入力する録音操作入力手段と、前記入力手段に入力された音声信号を記録手段に記録するように制御する制御手段を備え、
前記録音操作入力手段は、録音ポーズ操作入力手段と、通常録音操作入力手段と、特定トラック録音操作入力手段と、停止操作入力手段を有し、
前記制御手段は、録音ポーズ操作入力による録音ポーズ状態において、通常録音操作入力がある場合は、前記記録手段に通常の録音指令を行い、
また、前記制御手段は、同じ録音ポーズ操作入力による録音ポーズ状態において、特定トラック録音操作入力がある場合は、入力された前記デジタルオーディオ信号より検出されたトラック番号が前記メモリに記憶された特定トラック番号と一致し、かつ当該デジタルオーディオ信号のレベルが一定レベル以上の場合に、当該トラック番号に対応する音声信号を前記記録手段に当該特定トラックの録音指令を行って録音を行い、当該特定トラックの録音が終了しても前記停止操作入力がなければ録音ポーズ状態に戻り、次の記録媒体の特定トラックを録音すべく待機し、順次再生される複数の記録媒体の特定トラックを検出して、当該複数の記録媒体の特定トラックのデジタルオーディオ信号を順次記録するように構成したことを特徴とする記録装置。
【発明の詳細な説明】
【０００１】
【発明の属する技術分野】
本発明は、音声信号と共に当該音声信号のトラック番号を含むサブコード信号を有するデジタルオーディオ信号を入力し、当該デジタルオーディオ信号を記録する記録装置に関するものである。
【０００２】
【従来の技術】
ＣＤ（コンパクトディスク）等の記録媒体には、複数の音声信号と共に当該音声信号のトラック番号を含むサブコード信号を有するデジタルオーディオ信号が記録されている。このようなＣＤを多数収納して順次再生可能な、ＣＤチェンジャー装置も開発され、また、このＣＤ再生装置とＭＤ（ミニディスク）装置とを共に搭載したオーディオ機器も種々提供されている。
【０００３】
その中にあって、従来、１つのＣＤを収納し再生可能なＣＤ再生装置あるいは複数のＣＤを収納し再生可能なＣＤ再生装置と、そのＣＤ再生装置で再生されたデジタルオーディオ信号を記録可能なＭＤ装置とを共に搭載したオーディオ機器において、ＣＤに記録された複数の音楽信号のうち特定のトラックの曲目（例えば１曲目）のみを選択してＭＤに記録するようにしたものがある。これは、複数のＣＤのそれぞれ１曲目のみを順次記録するものであるが、その選択と制御は、ＣＤを再生する側、すなわちＣＤ再生装置側で行うものである。
【０００４】
【発明が解決しようとする課題】
このような記録装置においては、ＣＤ再生装置とＭＤ装置とを共に搭載し、かつＣＤ再生装置側にＣＤの１曲目を検出し選択する機能を備える必要があり、両装置を共に搭載するものとして、ＭＤ装置を搭載したシステムコンポやＣＤラジカセ等があるが、比較的大型の機器となっている。携帯用の小型オーディオ機器としてのポータブルＭＤ機器では、デジタルオーディオ信号の記録が可能であるにもかかわらず、曲目を選択する制御入力あるいは再生装置側を制御する制御出力がないため、前述のような記録は困難であった。
【０００５】
本発明は、このような課題に鑑み、ポータブルＭＤ機器のように、デジタルオーディオ信号の記録が可能で、複数の音声信号と共に当該音声信号のトラック番号を含むサブコード信号を有するデジタルオーディオ信号が記録されている複数の記録媒体の再生装置を有しない記録装置、また曲目を選択する制御入力あるいは再生装置側を制御する制御出力がない記録装置であっても、複数記録媒体の特定トラックのみを順次記録可能な記録装置を提供することを目的としてなされたものである。
【０００６】
【課題を解決するための手段】
この課題を解決するために本発明の記録装置は、音声信号と共に当該音声信号のトラック番号を含むサブコード信号を有するデジタルオーディオ信号を記録した複数の記録媒体を再生装置により順次再生することにより得られた当該デジタルオーディオ信号を入力して記録する記録装置であって、前記デジタルオーディオ信号を入力する入力手段と、前記入力手段に入力されたデジタルオーディオ信号のサブコードに含まれるトラック番号を検出するトラック番号検出手段と、前記入力手段に入力されたデジタルオーディオ信号のレベルを検出するレベル検出手段と、入力された音声信号を記録する記録手段と、前記入力手段と記録手段との間に設けられた信号処理手段と、前記複数の記録媒体に記録された音声信号のうち記録したい特定のトラック番号を記憶しておく特定トラック番号メモリと、録音条件を入力する録音操作入力手段と、前記入力手段に入力された音声信号を記録手段に記録するように制御する制御手段を備え、前記録音操作入力手段は、録音ポーズ操作入力手段と、通常録音操作入力手段と、特定トラック録音操作入力手段と、停止操作入力手段を有し、前記制御手段は、録音ポーズ操作入力による録音ポーズ状態において、通常録音操作入力がある場合は、前記記録手段に通常の録音指令を行い、また、前記制御手段は、同じ録音ポーズ操作入力による録音ポーズ状態において、特定トラック録音操作入力がある場合は、入力された前記デジタルオーディオ信号より検出されたトラック番号が前記メモリに記憶された特定トラック番号と一致し、かつ当該デジタルオーディオ信号のレベルが一定レベル以上の場合に、当該トラック番号に対応する音声信号を前記記録手段に当該特定トラックの録音指令を行って録音を行い、当該特定トラックの録音が終了しても前記停止操作入力がなければ録音ポーズ状態に戻り、次の記録媒体の特定トラックを録音すべく待機し、順次再生される複数の記録媒体の特定トラックを検出して、当該複数の記録媒体の特定トラックのデジタルオーディオ信号を順次記録するように構成したものである。
【０００７】
これにより、複数の音声信号と共に当該音声信号のトラック番号を含むサブコード信号を有するデジタルオーディオ信号が記録されている複数の記録媒体の再生装置を有しない記録装置、また曲目を選択する制御入力あるいは再生装置側を制御する制御出力がない記録装置でありながら、特定トラックの録音が終了しても停止操作入力がなければ録音ポーズ状態で待機するので、記録したい特定のトラック番号を記憶しておくことにより、次の記録媒体を再生してその記録媒体の特定トラックのみを順次記録可能であり、複数の記録媒体から特定トラック番号のデジタルオーディオ信号のみを、簡単に抽出して記録することができるという作用を有する。
【０００８】
【発明の実施の形態】
本発明の請求項１に記載の発明は、音声信号と共に当該音声信号のトラック番号を含むサブコード信号を有するデジタルオーディオ信号を記録した複数の記録媒体を再生装置により順次再生することにより得られた当該デジタルオーディオ信号を入力して記録する記録装置であって、前記デジタルオーディオ信号を入力する入力手段と、前記入力手段に入力されたデジタルオーディオ信号のサブコードに含まれるトラック番号を検出するトラック番号検出手段と、前記入力手段に入力されたデジタルオーディオ信号のレベルを検出するレベル検出手段と、入力された音声信号を記録する記録手段と、前記入力手段と記録手段との間に設けられた信号処理手段と、前記複数の記録媒体に記録された音声信号のうち記録したい特定のトラック番号を記憶しておく特定トラック番号メモリと、録音条件を入力する録音操作入力手段と、前記入力手段に入力された音声信号を記録手段に記録するように制御する制御手段を備え、前記録音操作入力手段は、録音ポーズ操作入力手段と、通常録音操作入力手段と、特定トラック録音操作入力手段と、停止操作入力手段を有し、前記制御手段は、録音ポーズ操作入力による録音ポーズ状態において、通常録音操作入力がある場合は、前記記録手段に通常の録音指令を行い、また、前記制御手段は、同じ録音ポーズ操作入力による録音ポーズ状態において、特定トラック録音操作入力がある場合は、入力された前記デジタルオーディオ信号より検出されたトラック番号が前記メモリに記憶された特定トラック番号と一致し、かつ当該デジタルオーディオ信号のレベルが一定レベル以上の場合に、当該トラック番号に対応する音声信号を前記記録手段に当該特定トラックの録音指令を行って録音を行い、当該特定トラックの録音が終了しても前記停止操作入力がなければ録音ポーズ状態に戻り、次の記録媒体の特定トラックを録音すべく待機し、順次再生される複数の記録媒体の特定トラックを検出して、当該複数の記録媒体の特定トラックのデジタルオーディオ信号を順次記録するように構成したしたものであり、複数の音声信号と共に当該音声信号のトラック番号を含むサブコード信号を有するデジタルオーディオ信号が記録されている複数の記録媒体の再生装置を有しない記録装置、あるいは曲目を選択する制御入力がない記録装置でありながら、特定トラックの録音が終了しても停止操作入力がなければ録音ポーズ状態で待機するので、記録したい特定のトラック番号を記憶しておくことにより、次の記録媒体を再生してその記録媒体の特定トラックのみを順次記録可能であり、複数の記録媒体から特定トラック番号のデジタルオーディオ信号のみを、簡単に抽出して記録することができるという作用を有する。
【００１３】
以下本発明の実施の形態について、図１から図３を用いて説明する。
【００１４】
（実施の形態１）
図１は本発明の第１の実施の形態としてＭＤ装置よりなる記録装置のブロック図を示し、図１において、１はＭＤ２を収納するカートリッジ、３はＭＤ２を載置するターンテーブルを回転駆動するスピンドルモータ、５は光学レンズやアクチュエータやレーザ等を有する光ピックアップ、６は光ピックアップ５の送りモータ、７はサーボ回路、８はＲＦアンプ部、９はアドレスレコーダ部、１０はデータ処理部、１１は磁気ヘッド駆動回路、１２は磁界用コイルを有する磁気ヘッド、１３はメモリーコントローラ、１４はＲＡＭ、１５はＡＴＲＡＣエンコーダ・デコーダ、１６はシステムコントローラ、１７は表示制御回路を含む表示部、１８は操作入力回路及び操作ボタン等を含む操作部である。
【００１５】
また、１９はデジタルオーディオ信号を入力するデジタル信号入力回路、２０はアナログオーディオ信号を入力しデジタルオーディオ信号に変換するアナログ信号入力回路であり、この両入力回路１９，２０はデジタル・アナログ切換回路２１及びレベル検出部２２を介して、ＡＴＲＡＣエンコーダ・レコーダ１５に接続されている。２３はデジタルオーディオ信号から標本化周波数や著作権保護情報等のコントロール信号を取り出すチャンネルステータスビット検出部、２４は同じくデジタルオーディオ信号からサブコード等を取り出すユーザデータビット検出部、２５はサブコードに含むトラック番号（デジタルオーディオ信号が音楽の場合は曲番）を検出するトラック番号検出部、２６は特定トラック番号を記憶しておく特定トラックメモリである。２７はデジタル信号入力回路１９の入力端子、２８はアナログオーディオ信号入力回路２０の入力端子である。
【００１６】
ここで、前述の操作部１８は、このＭＤ装置における種々の操作部において、両入力回路１９，２０より入力されたオーディオ信号を通常の録音すべく操作するためのキーとして、録音ポーズキーと、録音を開始する通常録音キーと、特定トラックの録音を設定するための特定トラック録音キーと、録音を停止するための停止キーを有する。
【００１７】
以上のように構成された記録装置について、以下、図２に示すフローチャートに基づいてその動作について説明する。
【００１８】
まず、録音ポーズキーがＯＮされたかどうかを判断（ステップＳ１）し、ＯＮされればステップＳ２に進み、通常録音ポーズ状態となる。また、ステップＳ３に進み、チャンネルステータスビット検出部２３より、標本化周波数や著作権保護情報等のコントロール信号の読み込みを開始する。次に、特定トラック録音キーがＯＮされたかどうか（ステップＳ４）及び通常録音キーがＯＮされたかどうか（ステップＳ５）を判断し、両キーともＯＮされなければ、特定トラック録音キー又は通常録音キーがＯＮされるまで、通常録音ポーズ状態を維持する。通常録音キーがＯＮされるとステップＳ６に進み、通常録音指令が出力されて、入力されたオーディオ信号が、システムコントローラ１６の指令に従い、所定の制御が行われて、ＭＤに録音されることとなり、この録音状態は停止キーＳ６がＯＮされるまで継続される。
【００１９】
ステップＳ４で特定トラック録音キーがＯＮされたことを判断すると、ステップＳ８に進み、特定トラック録音ポーズ状態となり、デジタル信号入力回路１９に入力されたデジタルオーディオ信号から、ユーザデータビット検出部２４によるサブコード信号の入力を行う。そして、トラック番号検出部２５により入力されたデジタルオーディオ信号のサブコード信号に含まれるトラック番号検出し、そのトラック番号が特定のトラック番号、すなわち予め特定トラックメモリ２６に記憶された特定トラック番号であるかどうかを、ステップＳ９で判断し、特定トラック番号の場合は次のステップＳ１０進む。ここでは、入力されたデジタルオーディオ信号のレベルを検出するレベル検出部２２で検出したレベルから、音声があるかどうかを判断し、音声があると判断するとステップＳ１１に進んで特定トラック番号の録音指令し、当該特定トラック番号の音声信号の録音を行うこととなる。
【００２０】
次に、ステップＳ１２では、ステップＳ１１の録音指令に基づいて開始した特定トラック番号の信号の入力が継続しているかどうかを判断し、次のステップＳ１３では音声信号が有るかどうかを判断し、有る場合はステップＳ１４で停止キーがＯＮされていなければ、ステップＳ１２に戻り、更にそのステップＳ１２からステップＳ１４の判断を繰り返し、ここで特定トラック番号のデジタルオーディオ信号の録音を継続することとなる。そして、その特定トラック番号のデジタルオーディオ信号の録音中に停止キーがＯＮされるとステップＳ１４からステップＳ１５に進み、システムコントローラ１６は停止指令を出力して、所定の制御により録音が停止され、ステップＳ１に戻る。
【００２１】
前述のステップＳ９で特定トラック番号でないと判断された場合、または次のステップＳ１０で特定トラック番号の信号でも音声がないかレベルが低い場合で音声なしと判断された場合は、ステップＳ１６に進み、停止キーがＯＮされていなければステップＳ９に戻り、同様の判断を繰り返す。また、ステップＳ１６で停止キーのＯＮと判断されれば、ステップＳ１５に進んで停止指令が出力されることとなる。
【００２２】
次に、ステップＳ１２で特定トラック番号でなくなったと判断された場合、または次のステップＳ１３で特定トラック番号の信号でも音声がないかレベルが低い場合で音声なしと判断された場合は、録音が終了したと判断し、ステップＳ８に戻り、次に入力される特定トラック番号のデジタルオーディオ信号を録音すべく、特定トラック録音ポーズ設定状態となる。すなわち、この状態は、たとえば記録をＣＤからＭＤに行っているとすれば、１つのＣＤの特定トラック（たとえば１曲目）の録音が終了し、続けて次のＣＤを再生してそのＣＤの特定トラックを録音すべく待機しているポーズ状態である。
【００２３】
以上のように本実施形態によれば、複数の音声信号と共に当該音声信号のトラック番号を含むサブコード信号を有するデジタルオーディオ信号が記録されている複数の記録媒体の再生装置を有しない記録装置、また曲目を選択する制御入力あるいは再生装置側を制御する制御出力がない記録装置でありながら、複数記録媒体の特定トラックのみを順次記録可能であるという作用を有する。また、特定トラック番号の記録を簡単な操作で行い得るという作用を有する。
【００２４】
（実施の形態２）
次に、図３に基づいて、複数のＣＤを再生する再生装置より得られるデジタルオーディオ信号を順次入力して、特定トラック番号のデジタルオーディオ信号のみをＭＤに記録する場合について説明する。
【００２５】
３０は再生装置としてのＣＤプレーヤであり、音声信号と共に当該音声信号のトラック番号を含むサブコード信号を有するデジタルオーディオ信号が記録された複数の記録媒体としてのＣＤ１〜ＣＤｎを再生部３１により順次再生し、その再生されたデジタルオーディオ信号のみを、出力回路３２より順次再生信号として出力する。この再生出力信号は、デジタルオーディオ信号として、ＥＩＡＪの「ＣＰ−１２０１規格」に準拠した信号であり、前述した、音声信号と共に当該音声信号のトラック番号を含むサブコード信号を有するものであある。ここで、このＣＤプレーヤ３０は、１つのＣＤを再生するものでも、複数のＣＤを順次再生するＣＤチェンジャであってもよい。
【００２６】
３３は記録装置としてのＭＤレコーダであり、ＣＤプレーヤ３０の出力回路３２より、光ケーブル等の送信手段ＳＬにより入力回路３４に、前述のＥＩＡＪの「ＣＰ−１２０１規格」に準拠した信号が入力される。入力回路３４に順次入力されたデジタルオーディオ信号は、特定トラック選択部３５で特定トラック番号のデジタルオーディオ信号が選択されて、記録部３６によってＭＤに順次記録されることとなる。ここで、ＭＤレコーダ３３は、前述した実施の形態１における図１の構成と同様の構成を有するもであり、その詳細の説明は省略する。
【００２７】
この実施形態では、複数の記録媒体から再生されたデジタルオーディオ信号のみを出力したものを入力し、特定トラック番号のデジタルオーディオ信号のみを簡単に抽出して順次記録することができるという作用を有する。
【００２８】
（実施の形態３）
前述の実施の形態１において、特定トラック番号メモリに記憶する特定トラック番号は、予め記憶したものについて説明したが、書き替え可能とし、ユーザが好みに応じて適宜設定できるようにしてもよい。この場合は、操作部１８に特定トラック番号メモリ書き替えの操作部を設けると共に、システムコントローラ１６の機能として、特定トラックメモリ２６の特定トラック番号の書き替え制御機能を付加すればよい。このようにすることにより、特定トラック番号をユーザが好みに応じて適宜設定できるという作用を有する。
【００２９】
【発明の効果】
以上のように本発明によれば、複数の音声信号と共に当該音声信号のトラック番号を含むサブコード信号を有するデジタルオーディオ信号が記録されている複数の記録媒体の再生装置を有しない記録装置、また曲目を選択する制御入力あるいは再生装置側を制御する制御出力がない記録装置でありながら、特定トラックの録音が終了しても停止操作入力がなければ録音ポーズ状態で待機するので、記録したい特定のトラック番号を記憶しておくことにより、次の記録媒体を再生してその記録媒体の特定トラックのみを順次記録可能であり、複数の記録媒体から特定トラック番号のデジタルオーディオ信号のみを、簡単に抽出して記録することができるという有利な効果が得られる。
【図面の簡単な説明】
【図１】本発明の第１の実施の形態による記録装置のブロック図
【図２】同制御手段の制御フローチャート
【図３】本発明の第２の実施の形態による記録装置の概略説明図
【符号の説明】
１  カートリッジ
２  ＭＤ
５  光ピックアップ
１０  データ処理部
１６  システムコントローラ
１８  操作部
１９  デジタル信号入力回路
２２  レベル検出部
２４  ユーザデータビット検出部
２５  トラック番号検出部
２６  特定トラックメモリ
【図１】
0003760677.tif 000002
【図２】
0003760677.tif 000003
【図３】
0003760677.tif 000004